(57)【要約】  【課題】  輪転機における静止フレームとローラのような静止部材と回転部材との間で流体の送給を行うロータリージョイントの連結・連結解除を容易にしたロータリージョイントを提供する。  【解決手段】  静止部材側に取り付けられる筒状の静止ケーシング１４の孔内に回転可能に支持され、外周面に施錠子受入れ凹部２２を有する雄型連結部分２０を備える筒状の第１回転連結部材１６と、回転部材側に取り付けられ、雄型連結部分に嵌合される雌型連結部分２４を備える第２回転連結部材１８とを有し、雌型連結部分は半径方向で変位可能とされた施錠子２８を備え、当該雌型連結部分が雄型連結部分に嵌合された状態で、施錠子２８を施錠子受入れ凹部２２に嵌合させ、当該雌型連結部分の周囲に設けた第１スリーブ３０により、該施錠子２８を半径方向外側から押圧することにより、第１及び第２回転連結部材の連結を行う。【選択図】  図1
2005164009.tif 000002
【特許請求の範囲】
【請求項１】
静止部材と回転部材との間で流体の送給を行うためのロータリージョイントであって、
静止部材側に取り付けられ、一端から直線状の軸線に沿って延びる孔を有する筒状の静止ケーシングと、
該静止ケーシングの上記孔内に同心状に設定され、軸線を中心に回転可能に支持された筒状の第１回転連結部材と、
回転部材側に取り付けられ、上記第１回転連結部材に対して同心状にして取り外し可能に連結され、該第１回転連結部材と共に回転される第２回転連結部材と
を有し、
第１回転連結部材は、上記静止ケーシングの上記孔から外方へ延出する雄型連結部分と、該雄型連結部分の外周面に形成された施錠子受入れ凹部とを有し、
第２回転連結部材は、上記雄型連結部分の周囲に流体密に嵌合される雌型連結部分と、該雌型連結部分に設けられた半径方向貫通孔と、該半径方向貫通孔内に半径方向で変位可能に設けられた施錠子と、上記雌型連結部分の周囲に嵌合された第１スリーブと、を有し、
上記第２回転連結部材は、上記第１回転連結部材の上記雄型連結部分の外側端部から、同雄型連結部分の内側端部に向けて摺動嵌合されて所定の連結位置とされたときに、上記施錠子が上記施錠子受入れ凹部と半径方向で整合されるようになされており、
上記第１スリーブは、上記施錠子と係合して同施錠子を半径方向内側に変位させ、上記施錠子受入れ凹部に嵌合させ、上記雄型連結部分及び雌型連結部分を連結するための押圧面と、同施錠子が上記施錠子受入れ凹部から外側に変位して、同施錠子受入れ凹部から離脱し、上記雄型連結部分及び雌型連結部分が連結解除されるのを可能にする解放面とを有し、上記押圧面が上記施錠子と半径方向で整合する施錠位置と、上記解放面が上記施錠子と半径方向で整合する開錠位置との間を可動とされている
ことを特徴とするロータリージョイント。  
【請求項２】
上記施錠子を球形部材とし、
上記施錠子受入れ凹部は、円錐状の凹部とされ、上記施錠子を受け入れて上記雄型連結部分及び雌型連結部分の軸線方向及び周方向での変位が生じないように保持する
ことを特徴とする請求項１に記載のロータリージョイント。
【請求項３】
上記第１スリーブが上記軸線方向で上記施錠位置と開錠位置との間を可動とされており、
該第１スリーブを上記軸線方向で上記施錠位置に向けて付勢するバネが設けられており、
該第１スリーブの上記押圧面は上記バネの付勢方向に向けて次第に直径が増大するように上記軸線方向で傾斜しており、
上記円錐状の凹部は、その円錐状傾斜面において、上記押圧面に係合されて半径方向内側に押圧される上記施錠子と係合され、当該第１回転連結部材が上記第２回転連結部材の上記孔内に相対的に引き込まれる力が生じるようにされていること
を特徴とする請求項１若しくは２に記載のロータリージョイント。
【請求項４】
上記第１回転連結部材が、その外周面に半径方向外側に延びるフランジを有し、該第２回転連結部材が上記第１回転連結部材に対する上記連結位置とされたときに、上記フランジが、上記軸線に対して直角をなす上記第２回転連結部材の端面に当接され、上記引き込まれる力によって同端面に押圧されて、第１及び第２回転連結部材の軸線方向での整合がはかられるようにしたこと
を特徴とする請求項３に記載のロータリージョイント。
【請求項５】
上記施錠子を球形部材とし、
上記施錠子受入れ凹部は、上記雄型連結部分を取り巻く環状溝とされ、上記施錠子を受け入れて上記雄型連結部分及び雌型連結部分の軸線方向での変位が生じないように保持し、
上記雄型連結部分は、その外周面に突起を有し、
上記雌型連結部分は、その内周面に軸線方向に延び、上記雄型連結部分及び雌型連結部分の嵌合が行われるときに、上記突起を受け入れて、同雄型連結部分及び雌型連結部分間の相対的回転が生じないようにする軸線方向溝を有するようにした
ことを特徴とする請求項１に記載のロータリージョイント。
【請求項６】
上記施錠子を球形部材とし、
上記施錠子受入れ凹部は、上記雄型連結部分を取り巻く環状溝とされ、上記施錠子を受け入れて上記雄型連結部分及び雌型連結部分の軸線方向での変位が生じないように保持し、
上記雌型連結部分は、その内周面に突起を有し、
上記雄型連結部分は、その外周面に軸線方向に延び、上記雄型連結部分及び雌型連結部分の嵌合が行われるときに、上記突起を受け入れて、同雄型連結部分及び雌型連結部分間の相対的回転が生じないようにする軸線方向溝を有するようにした
ことを特徴とする請求項１に記載のロータリージョイント。
【請求項７】
上記第１スリーブが上記軸線方向で上記施錠位置と開錠位置との間を可動とされており、
該第１スリーブを上記軸線方向で上記施錠位置に向けて付勢するバネが設けられており、
該第１スリーブの上記押圧面は上記バネの付勢方向に向けて次第に直径が増大するように上記軸線方向で傾斜しており、
上記環状溝は、当該環状溝を画定する軸線方向で間隔のあけられた側壁面を有し、上記雄型連結部分の外側端部側の側壁面が軸線方向で傾斜するようになされ、該傾斜する側壁面が、上記押圧面に係合されて半径方向内側に押圧される上記施錠子と係合され、当該第１回転連結部材が上記第２回転連結部材の上記孔内に相対的に引き込まれる力が生じるようにされていること
を特徴とする請求項５若しくは６に記載のロータリージョイント。
【請求項８】
上記第１回転連結部材が、その外周面に半径方向外側に延びるフランジを有し、該第２回転連結部材が上記第１回転連結部材に対する上記連結位置とされたときに、上記フランジが、上記軸線に対して直角をなす上記第２回転連結部材の端面に当接され、上記引き込まれる力によって同端面に押圧されて、第１及び第２回転連結部材の軸線方向での整合がはかられるようにしたこと
を特徴とする請求項７に記載のロータリージョイント。
【請求項９】
上記第２回転連結部材は、上記第１スリーブの上記開錠位置側において上記雌型連結部分の周囲に嵌合された第２スリーブを有し、
該第２スリーブは、第１スリーブが上記施錠位置から開錠位置に動くのを許容するスリーブ開放位置と、該同スリーブ開放位置よりも上記第１スリーブに軸線方向で近づき上記第１スリーブが上記施錠位置から上記開錠位置に動くのを阻止するスリーブ保持位置と、の間を軸線方向で可動とされている
ことを特徴とする請求項１乃至８のいずれかに記載のロータリージョイント。
【請求項１０】
上記第２回転連結部材は、上記雌型連結部分の外周に突出するピンを有し、
上記第２スリーブは、軸線方向に延び、上記ピンを受け入れて、当該第２スリーブが上記スリーブ保持位置とスリーブ開放位置との間を動くのを許容する軸線方向溝と、該軸線方向溝から周方向で離れた位置で、上記ピンに係合して当該第２スリーブを上記第１スリーブ保持位置に保持する係合凹部と、を有する
ことを特徴とする請求項９に記載のロータリージョイント。
【請求項１１】
上記第１及び第２スリーブの間にバネが設定されており、該バネが第２スリーブを上記スリーブ開放位置に向けて付勢し、上記第１スリーブを上記施錠位置に向けて付勢していることを特徴とする請求項１０に記載のロータリージョイント。
【請求項１２】
静止部材と回転部材との間で流体の送給を行うためのロータリージョイントにおける回転部材側に取り付けられ流体を通す回転連結部材であって、半径方向貫通孔と、該半径方向貫通孔内に半径方向で変位可能に設けられた施錠子とを有する回転連結部材に、同心状にして取り外し可能に連結され、上記回転部材側の回転連結部材と共に回転される静止部材側の回転連結部材、及び、
静止部材側に取り付けられる静止ケーシングであって、直線状の孔を有し、該孔に上記静止部材側の回転連結部材を回転可能に支持する筒状の静止ケーシング
を有する静止部材側のロータリージョイントエレメントであって、
上記静止部材側の回転連結部材が、その外周面に上記回転部材側の回転連結部材が流体密に嵌合連結されるようになされており、同外表面に、当該静止部材側の回転連結部材に対して上記回転部材側の回転連結部材が所定の嵌合連結位置とされたときに、該雌型連結部分の上記施錠子により係合されて当該静止部材側の回転連結部材と上記回転部材側の回転連結部材とを連結する施錠子受入れ凹部を有することを特徴とする静止部材側ロータリージョイントエレメント。
【請求項１３】
上記施錠子受入れ凹部は、円錐状の凹部とされ、上記施錠子を受け入れて上記静止部材側の上記回転連結部材を上記回転部材側の回転連結部材に対して軸線方向及び周方向での変位が生じないように保持する
ことを特徴とする請求項１２に記載のロータリージョイントエレメント。
【請求項１４】
上記円錐状の凹部は、その円錐状傾斜面において、上記施錠子と押圧係合され、当該静止部材側の回転連結部材が上記回転部材側の回転連結部材の内に相対的に引き込まれる力が生じるようにされていること
を特徴とする請求項１３に記載のロータリージョイントエレメント。
【請求項１５】
上記施錠子受入れ凹部は、上記静止部材側の回転連結部材を取り巻く環状溝とされ、更に、当該静止部材側の回転連結部材の外周面に突起を設け、当該静止部材側の回転連結部材の上記静止部材側の回転連結部材との嵌合連結が行われるときに、上記回転部材側の回転連結部材に設けられた軸線方向に延びる軸線方向溝に受け入れられて、それら回転連結部材間の相対的回転が生じないようにした
ことを特徴とする請求項１３に記載のロータリージョイントエレメント。
【請求項１６】
上記施錠子受入れ凹部は、上記静止部材側の回転連結部材を取り巻く環状溝とされ、上記静止部材側の回転連結部材は、更に、当該静止部材側の回転連結部材の外周面に軸線方向に延びる軸線方向溝を設け、上記雄型連結部分及び雌型連結部分の嵌合が行われるときに、回転部材側の回転連結部材に設けられた半径方向突起を受け入れて、それら回転連結部材間の相対的回転が生じないようにした
ことを特徴とする請求項１３に記載のロータリージョイントエレメント。
【請求項１７】
上記環状溝は、当該環状溝を画定する軸線方向で間隔のあけられた側壁面を有し、上記静止部材側の回転連結部材の外側端部側の側壁面が軸線方向で傾斜するようになされ、該傾斜する側壁面が、上記施錠子と押圧係合され、当該静止部材側の回転連結部材が上記回転部材側の回転連結部材の孔内に相対的に引き込まれる力が生じるようにされていること
を特徴とする請求項１５若しくは１６に記載のロータリージョイントエレメント。
【発明の詳細な説明】
【技術分野】
【０００１】
本発明は、印刷機のローラに冷却液を供給する場合などのように、回転部材と静止部材との間で流体の伝達を行うための、ロータリージョイントに関する。
【背景技術】
【０００２】
例えば、輪転機においては、回転に伴ってローラが加熱されるのを冷却するために、当該ローラに冷却水を供給するようにしたものがある。ロータリージョイントは、そのような回転部材と静止部材（ローラを支持している静止フレーム）との間で流体を伝達する場合に使用されるものであり、その構造としては、静止部材側に設定されて流体源に接続される管状静止ケーシングと、該ケーシング内に回転可能に取り付けられ、流体源から供給された流体を回転部材側に送る回転流体管とから構成される。回転流体管は、一般的に、ローラ等の回転部材側に螺合連結されるようになっている。（例えば、特許文献１）
【特許文献１】米国特許５，１５６，５２３号
【発明の開示】
【発明が解決しようとする課題】
【０００３】
輪転機におけるローラは、メンテナンス等のために当該輪転機から定期的に取り外す必要があるが、前述の如き従来のロータリージョイントを用いている場合には、きつく螺合されている連結部分を外して行わなければならず、取外し、取り付け作業に時間がかかり、当該輪転機の稼動率をさげることになる。
本発明は、斯様な点に鑑み、ローラなどの回転部材の連結・連結解除を短時間で円滑に行うことが出来るようにしたロータリージョイントを提供することを目的としている。
【課題を解決するための手段】
【０００４】
すなわち、本発明は、
静止部材と回転部材との間で流体の送給を行うためのロータリージョイントであって、
静止部材側に取り付けられる静止ケーシングであって、一端から直線状の軸線に沿って延びる孔を有する筒状の静止ケーシングと、
該静止ケーシングの上記孔内に同心状に設定され、軸心を中心に回転可能に支持された筒状の第１回転連結部材と、
回転部材側に取り付けられ、上記第1回転連結部材に対して同心状にして、同第１回転連結部材に取り外し可能に連結され、該第１回転連結部材と共に回転される第２回転連結部材と
を有し、
第１回転連結部材は、上記静止ケーシングの上記孔から外方へ延出する雄型連結部分と、該雄型連結部分の外周面に形成された施錠子受入れ凹部とを有し、
第２回転連結部材は、上記雄型連結部分の周囲に流体密に嵌合される雌型連結部分と、該雌型連結部分に設けられた半径方向貫通孔と、該半径方向貫通孔内に半径方向で変位可能に設けられた施錠子と、上記雌型連結部分の周囲に嵌合された第１スリーブと、を有し、
上記第２回転連結部材は、上記第１回転連結部材の上記雄型連結部分の外側端部から、同雄型連結部分の内側端部に向けて摺動嵌合されて所定の連結位置とされたときに、上記施錠子が上記施錠子受入れ凹部と半径方向で整合されるようになされており、
上記第１スリーブは、上記施錠子と係合して同施錠子を半径方向内側に変位させ、上記施錠子受入れ凹部に嵌合させ、上記雄型連結部分及び雌型連結部分を連結するための押圧面と、同施錠子が上記施錠子受入れ凹部から外側に変位して、同施錠子受入れ凹部から離脱し、上記雄型連結部分及び雌型連結部分が連結解除されるのを可能にする解放面とを有し、上記押圧面が上記施錠子と半径方向で整合する施錠位置と、上記解放面が上記施錠子と半径方向で整合する開錠位置との間を可動とされている
ことを特徴とするロータリージョイントを提供する。
このロータリージョイントでは、回転部材側に取り付けられる第２回転連結部材を、その雌型連結部分を、静止部材側に取り付けられる第１回転連結部材の雄型連結部分の周囲に嵌合させ、第１スリーブを施錠位置に設定するだけで、静止部材側と回転部材側との流体管の連結がなされ、また、第１スリーブを開錠位置として、第２回転連結部材の雌型連結部分を第１回転連結部材の雄型連結部分から引き抜くことにより連結を解除することができ、前述の従来のローラリージョイントの如く、螺合により連結を行っていたものに比べて、連結・連結解除にかかる時間を大幅に短縮することができる。
具体的には、上記施錠子を球形部材とし、上記施錠子受入れ凹部は、円錐状の凹部として、受け入れた該施錠子を当該凹部に対して周方向及び軸線方向で変位しないように保持することが好ましい。
球形状とした施錠子を円錐形状とした施錠子受入れ凹部で受け入れ保持するようにすることにより、当該施錠子の保持を確実にすることができる。
より具体的には、上記第１スリーブを上記軸線方向で上記施錠位置と開錠位置との間を可動とし、該第１スリーブを上記軸線方向で上記施錠位置に向けて付勢するバネを設け、該第１スリーブの上記押圧面を上記バネの付勢方向に向けて次第に直径が増大するように上記軸線方向で傾斜させ、上記円錐状の凹部が、その円錐状傾斜面において、上記押圧面に係合されて半径方向内側に押圧される上記施錠子と係合され、当該第１回転連結部材を上記第２回転連結部材の上記孔内に引き込まれる力が生じるようなものとすることができる。
このようにすることにより、雄型連結部分及び雌型連結部分の連結を確実なものとすることが出来る。
更に、上記第１回転連結部材が、その外周面に半径方向外側に延びるフランジを有し、該第２回転連結部材が上記第１回転連結部材に対する上記連結位置とされたときに、上記フランジが、上記軸線に対して直角をなす第２回転連結部材の端面に当接されるようにし、上記引き込まれる力によって同端面に押圧されて、第１及び第２回転連結部材との軸線方向での整合がはかられるようにすることが好ましい。
また、別の形態としては、
上記施錠子を球形部材とし、
上記施錠子受入れ凹部を、上記雄型連結部分を取り巻く環状溝とし、施錠子を受け入れて雄型連結部分及び雌型連結部分の軸線方向での変位が生じないように保持し、
雄型連結部分には、その外周面を設け、
雌型連結部分には、その内周面に軸線方向に延び、雄型連結部分及び雌型連結部分の嵌合が行われるときに、上記突起を受け入れて、同雄型連結部分及び雌型連結部分間の相対的回転が生じないようにする軸線方向溝を設けることもできる。
この形態では、上記突起を上記雌型連結部分の内周面に設け、上記軸線方向溝を上記雄型連結部分の外表面に設けることもできる。
上記第１スリーブを上記軸線方向で上記施錠位置と開錠位置との間で可動とし、
該第１スリーブを上記軸線方向で上記施錠位置に向けて付勢するバネを設け、
該第１スリーブの上記押圧面が上記バネの付勢方向に向けて次第に直径が増大するように軸線方向で傾斜するようにし、
当該環状溝を画定する軸線方向で間隔のあけられた一対の側壁面のうち、上記雄型連結部分の外側端部側の側壁面が軸線方向で傾斜するようにし、該傾斜する側壁面が、上記押圧面に係合されて半径方向内側に押圧される上記施錠子と係合されて、当該第１回転連結部材が上記第２回転連結部材の上記孔内に相対的に引き込まれる力が生じるようにすることが好ましい。第１及び第２回転連結部材の連結をより確実にするためである。
この場合、上記第１回転連結部材が、その外周面に半径方向外側に延びるフランジを有し、該第２回転連結部材が上記第１回転連結部材に対する上記連結位置とされたときに、上記フランジが、上記軸線に対して直角をなす上記第２回転連結部材の端面に当接され、上記引き込まれる力によって同端面に押圧されて、第１及び第２回転連結部材の軸線方向での整合がはかられるようにすることが好ましい。
また、第２回転連結部材が、上記第１スリーブの上記開錠位置側において上記雌型連結部分の周囲に嵌合された第２スリーブを有し、
該第２スリーブが、第１スリーブが上記施錠位置から開錠位置に動くのを許容するスリーブ開放位置と、該同スリーブ開放位置よりも上記第１スリーブに軸線方向で近づき上記第１スリーブが上記施錠位置から上記開錠位置に動くのを阻止するスリーブ保持位置と、の間を軸線方向で可動とするようにすることもできる。第１及び第２回転連結部材が不用意に外れないようにするためである。
具体的には、上記第２回転連結部材が、上記雌型連結部分の外周に突出するピンを有し、
上記第２スリーブが、軸線方向に延び、上記ピンを受け入れて、当該第２スリーブが上記スリーブ保持位置とスリーブ開放位置との間を動くのを許容する軸線方向溝と、該軸線方向溝から周方向で離れた位置で、上記ピンに係合して当該第２スリーブを上記第１スリーブ保持位置に保持する係合凹部と、を有するようにすることができる。
第１及び第２スリーブの間に、１つのバネを設定し、該バネが第２スリーブを上記スリーブ開放位置に向けて付勢し、同時に、上記第１スリーブを上記施錠位置に向けて付勢するようにすることできる。
本発明はまた、静止部材と回転部材との間で流体の送給を行うためのロータリージョイントにおける回転部材側に取り付けられ流体を通す回転連結部材であって、半径方向貫通孔と、該半径方向貫通孔内に半径方向で変位可能に設けられた施錠子とを有する回転連結部材に、同心状にして取り外し可能に連結され、上記回転部材側の回転連結部材と共に回転される雄型連結部分を有する、静止部材側の回転連結部材、及び、
静止部材側に取り付けられ、直線状の孔を有し、該孔に上記静止部材側の回転連結部材を回転可能に支持する筒状の静止ケーシング
を有する静止部材側のロータリージョイントエレメントであって、
上記静止部材側の回転連結部材が、その外周面に上記回転部材側の回転連結部材を流体密に嵌合されるようにされ、同外表面に、当該静止部材側の回転連結部材に対して上記回転部材側の回転連結部材が所定の連結位置まで嵌合されたときに、該雌型連結部分の施錠子により係合されて当該静止部材側の回転連結部材と上記回転部材側の回転連結部材とを連結する施錠子受入れ凹部を有することを特徴とする静止部材側ロータリージョイントエレメントを提供する。このロータリージョイントエレメントでは、従来のものに比べて、連結・連結解除が非常に容易に行うことが出来る。
具体的には、上記施錠子受入れ凹部は、円錐状の凹部とされ、上記施錠子を受け入れて上記静止部材側の上記回転連結部材を上記回転部材側の回転連結部材に対して軸線方向及び周方向での変位が生じないように保持することができる。
また、上記円錐状の凹部は、その円錐状傾斜面において、上記施錠子と押圧係合され、当該静止部材側の回転連結部材が上記回転部材側の回転連結部材の内に相対的に引き込まれる力が生じるようにすることが好ましい。
また、別の形態としては、上記施錠子受入れ凹部は、上記静止部材側の回転連結部材を取り巻く環状溝とされ、更に、当該静止部材側の回転連結部材の外周面には突起を設け、当該静止部材側の回転連結部材の上記静止部材側の回転連結部材との嵌合連結が行われるときに、上記回転部材側の回転連結部材に設けられた軸線方向に延びる軸線方向溝に受け入れられて、それら回転連結部材間の相対的回転が生じないようにすることもできる。この場合、軸線方向溝を上記静止部材側の回転連結部材の外周面に設け、該溝に係合される半径方向突起を、回転部材側の回転連結部材に設けるようにすることもできる。更に、この場合には、上記環状溝を画定する軸線方向で間隔のあけられた一対の側壁面のうち、上記静止部材側の回転連結部材の外側端部側の側壁面が軸線方向で傾斜するようにし、該傾斜する側壁面が、上記施錠子と押圧係合され、当該静止部材側の回転連結部材が上記回転部材側の回転連結部材の孔内に相対的に引き込まれる力が生じるようにすることが好ましい。
【発明を実施するための最良の形態】
【０００５】
以下、本発明にかかるロータリージョイント１０の実施形態を図面に基づき説明する。
図示のように、本発明に係るロータリージョイント１０は、基本的エレメントとして、（輪転機の静止フレームなどの）静止部材側に取り付けられる筒状の静止ケーシング１４と、該静止ケーシング１４の孔内に同心状に設定され、軸心を中心に回転可能に支持された筒状の第１回転連結部材１６と、（輪転機のローラなどの）回転部材側に取り付けられ、上記第１回転連結部材１６に対して同心状にして取り外し可能に連結され、第１回転連結部材１６と共に回転する第２回転連結部材１８とを有する。
第１回転連結部材１６は、静止ケーシング１４の孔から外方（右方）へ延出する雄型連結部分２０と、該雄型連結部分２０の外周面に形成された施錠子受入れ凹部２２とを有する。図示の例では、施錠子受入れ凹部２２は、円錐形とされており、当該雄型連結部分２０の外周面の円周方向で所定間隔あけて複数設けられている。
第２回転連結部材１８は、雄型連結部分２０の周囲に流体密に嵌合される雌型連結部分２４と、該雌型連結部分２４に設けられた半径方向貫通孔２６と、該半径方向貫通孔２６内に半径方向で変位可能に設けられた施錠子２８とを有する。
施錠子２８及び半径方向貫通孔２６は、上記施錠子受入れ凹部２２に対応するように円周方向で所定間隔あけて複数設けられている。図示の例では、施錠子２８は球状とされ、施錠子受入れ凹部２２は、円錐形状の凹部とされている。
雌型連結部分２４の周囲には第１スリーブ３０が、軸線方向で変位可能に取り付けられている。
第２回転連結部材１８は、第１回転連結部材１６の雄型連結部分２０の外側端部から、同雄型連結部分２０の内側端部に向けて摺動嵌合されて所定の連結位置とされたときに、施錠子２８が施錠子受入れ凹部２２と半径方向で整合されるようになされており、第１スリーブ３０は、上記施錠子２８と係合して同施錠子２８を半径方向内側に変位させ、施錠子受入れ凹部２２に嵌合させ、雄型連結部分２０及び雌型連結部分２４を連結するための押圧面３２と、同施錠子２８が施錠子受入れ凹部２２から外側に変位して、同施錠子受入れ凹部２２から離脱し、雄型連結部分２０及び雌型連結部分２４が連結解除されるのを可能にする解放面３４とを有し、押圧面３２が施錠子２８と半径方向で整合する施錠位置（図1）と、上記解放面が施錠子２８と半径方向で整合する開錠位置との間を軸線方向で可動とされており、コイルバネ３８により施錠位置に向けて付勢されている。図示の例では、第１スリーブ３０の押圧面３２はコイルバネ３８の付勢方向で直径が広がるように傾斜している。
施錠子受入れ凹部２２は、第２回転連結部材１８が、第１回転連結部材１６に対する連結位置とされたときに（図２）、その円錐状傾斜面において、上記押圧面３２に係合されて半径方向内側に押圧される上記施錠子２８と係合され、第１回転連結部材１６を第２回転連結部材１８の孔内に引き込む力が生じるようにするのが好ましい。すなわち、上記連結位置において、施錠子受入れ凹部２２の位置が、施錠子２８に対して軸線方向でコイルバネ３８の付勢方向側に僅かにずらし、施錠子２８が当該施錠子受入れ凹部２２の上記付勢方向側とは反対の側（図２における右側）の傾斜面に係合することにより、当該第１回転部材１６に対して（図２における）右方への力（すなわち、第１回転連結部材１６を第２回転連結部材１８の孔内に引き込む力）が生じるようにする。また、第１回転連結部材１６は、その外周面に半径方向外側に延びるフランジ１６−１を有し、該第２回転連結部材が上記第１回転連結部材に対する上記連結位置とされたときに、上記フランジ１６−１が第２回転連結部材の（上記軸線に対して直角をなすように設定されている）端面１８−１に当接されるようにされ、上記引き込む力によって同端面１８−１に押圧されて、第１及び第２回転連結部材の軸線方向での整合がはかられるようにする。
第１回転連結部材１６は、ラジアルベアリング４０によって支持されており、その端面には、同軸状にされたカーボンシール４２が当接されており、該カーボンシール４２は、バネリテーナ４４を介して設定されているコイルバネ４６によって、第１回転連結部材１６の端面に押圧されている。図面中、４８はＯリングを示し、また、５０はグリースニップルを示している。
第２回転連結部材１８には、特に図３及び図４に明瞭に示すように、更に、第１スリーブ３０を施錠位置に固定するための第２のスリーブ５６が設けられている。すなわち、該第２スリーブは、第１スリーブ３０が上記施錠位置から開錠位置に（すなわち、図２の位置から右方に）動くのを許容するスリーブ開放位置（図３、図１）と、該同スリーブ開放位置よりも第１スリーブ３０に軸線方向で近づき第１スリーブが施錠位置から上記開錠位置に動くのを阻止するスリーブ保持位置（図４、図２）と、の間を軸線方向で可動とされている。
図示の例では、第１スリーブ３０及び第２スリーブ５６の間に上記コイルバネ３８が設定されており、第１スリーブ３０を上記施錠位置に向けて付勢すると共に、第２スリーブ５６をスリーブ開放位置（図３、図１）に向けて付勢している。
第２回転連結部材１８は、上記雌型連結部分の外周に突出するピン５８を有しており、これに対し、上記第２スリーブ５６には、軸線方向溝６０と、該軸線方向溝から周方向で離れたピン係合凹部６２と、該軸線方向溝６０及びピン係合凹部６２の間に設けられた周方向溝６４とが設けられている。第２スリーブは、軸線方向溝６０とピン５８とが軸線方向で整合する位置とされた状態において、上記スリーブ開放位置（図３、図１）とスリーブ保持位置（図４、図２）との間で変位可能とされ、通常は、コイルバネ３８の作用により、ピン５８が第１軸線方向溝６０の左端に係合する位置（すなわち、当該第２スリーブがスリーブ開放位置）とされ、ピン５８がピン係合凹部６２と軸線方向で整合する状態とされた状態においては、コイルバネ３８の作用により、ピン５８が当該ピン係合凹部６２の左端に係合する位置（すなわち、第２スリーブがスリーブ保持位置）とされるようになされている。
図５は、本発明に係るロータリージョイントの他の実施形態を示している。
すなわち、このロータリージョイントは、前述したものと基本的構成は同じであるが、施錠子受入れ凹部２２が雄型連結部分２０の外周を取り巻くように環状に形成されており、従って、この施錠受入れ凹部２２は、施錠子２８を受け入れた状態では、雄型連結部分２０と雌型連結部分２４との軸線方向での相対的動きを阻止することができるが、相対的回転を阻止することはできない。このため、この実施形態においては、雄型連結部分２０及び雌型連結部分２４の相対的回転を阻止するために、雄型連結部分２０の外周面にピン６８が設けられ、これに対応して、雌型連結部分２４の内周面に該ピン６８を受け入れるように軸線方向で延びた軸線方向溝７０が設けられている。
【図面の簡単な説明】
【０００６】
【図１】本発明に係るロータリージョイントを構成する第１及び第２回転連結部材が分離されている状態を示す一部断面側面図である。
【図２】同ロータリージョイントの第１及び第２回転連結部材が連結されている状態を示す一部断面側面図である。
【図３】図１のロータリージョイントの第２回転連結部材の平面図であり、第２スリーブがスリーブ開放位置にある状態を示す。
【図４】図１のロータリージョイントの第２回転連結部材の平面図であり、第２スリーブがスリーブ保持位置にある状態を示す。
【図５】他の実施形態にかかるロータリージョイントを構成する第１及び第２回転連結部材が分離されている状態を示す一部断面側面図である。
【符号の説明】
【０００７】
１０                     ロータリージョイント
１４                     静止ケーシング
１６                     第１回転連結部材
１６−１                 フランジ
１８                     第２回転連結部材
１８−１                 第２回転連結部材の端面
２０                     雄型連結部分
２２                     施錠子受入れ凹部
２４                     雌型連結部分
２６                     半径方向貫通孔
２８                     施錠子
３０                     第１スリーブ
３２                     押圧面
３４                     解放面
３８                     コイルバネ
４２                     カーボンシール
４４                     バネリテーナ
４６                     コイルバネ
４８                     Ｏリング
５０                     グリースニップル
５６                     第２スリーブ
５８                     ピン
６０                     軸線方向溝
６２                     ピン係合凹部
６４                     周方向溝
６６                     ピン
７０                     軸方向溝
【図１】
2005164009.tif 000003
【図２】
2005164009.tif 000004
【図３】
2005164009.tif 000005
【図４】
2005164009.tif 000006
【図５】
2005164009.tif 000007